(57)【要約】【課題】搬送される原稿の画像を読み取るための読取りガラスに付着した異物を、ユーザが特別な操作を必要とすることなく、かつ、画像読取り処理と並行して除去できる画像読取り装置及び画像形成装置を得る。【解決手段】原稿を読取りガラス１２の直上で搬送しつつ読取り位置Ａで原稿画像を光学的に読み取る画像読取り装置。読取り位置Ａの下流側にガイド部材３１を支軸３１ａを支点として上下方向に回動可能に設け、原稿の後端がガイドシート３０の段差（端部３０ａ）を通過する直前にガイド部材３１を上方に回動させることで、原稿Ｄの後端部を読取りガラス１２上に強制的に落ち込ませ、読取りガラス１２上に残留した異物を除去する。【選択図】図５
2008199301.tif 000002
【特許請求の範囲】
【請求項１】
原稿を１枚ずつ送り出し、読取り位置を通過させる原稿搬送手段と、
前記読取り位置を搬送される原稿の画像を光学的に読み取る読取り手段と、
前記読取り位置を搬送される原稿と前記読取り手段との間に配置された透明部材と、
前記透明部材上であって前記読取り位置よりも原稿搬送方向上流側に配置された所定の厚みを有する段差形成部材と、
前記透明部材の近傍に配置された原稿のガイド部材と、
前記ガイド部材を駆動する駆動手段と、を備え、
前記駆動手段にて前記ガイド部材を動作させることで、前記透明部材に近接して通過する原稿の後端部が該透明部材に接する方向に姿勢を変化させること、
を特徴とする画像読取り装置。
【請求項２】
前記ガイド部材による原稿の後端部に対する姿勢変化は、前記透明部材に近接して通過する原稿の曲率半径を変化させることにより与えることを特徴とする請求項１に記載の画像読取り装置。
【請求項３】
前記ガイド部材は、前記読取り位置の原稿搬送方向下流側で原稿を前記透明部材から離れる方向にガイドする部材であり、前記駆動手段によってガイド角度を大きくする方向に動作すること、
を特徴とする請求項１に記載の画像読取り装置。
【請求項４】
前記ガイド部材のガイド角度は原稿の種類によって変更可能であることを特徴とする請求項３に記載の画像読取り装置。
【請求項５】
前記ガイド部材による原稿の後端部に対する姿勢変化は、原稿の後端部を押圧することにより与えることを特徴とする請求項１に記載の画像読取り装置。
【請求項６】
前記ガイド部材は、前記読取り位置の原稿搬送方向上流側で原稿を押圧することを特徴とする請求項５に記載の画像読取り装置。
【請求項７】
前記ガイド部材を動作させるタイミングは、原稿の先端が前記読取り位置を通過した後であって、原稿の後端が前記段差形成部材の端部を通過する直前であること、
を特徴とする請求項１ないし請求項６のいずれかに記載の画像読取り装置。
【請求項８】
請求項１ないし請求項７のいずれかに記載の画像読取り装置と、画像形成装置本体と、を備え、
前記読取り手段は読み取った画像を画像形成装置本体の制御部に出力し、
前記画像形成装置本体による画像形成領域外となる原稿の非画像形成領域が前記読取り位置を通過するときに前記ガイド部材が動作すること、
を特徴とする画像形成装置。
【請求項９】
前記非画像形成領域に対して強制的に画像形成しない画像欠損モードをユーザが選択可能であり、
ユーザが前記画像欠損モードを選択しないで原稿画像全体をプリント画像として形成する場合、又は、原稿画像のサイズに対してプリントするために選択された用紙のサイズが大きい場合には、前記ガイド部材が動作しないこと、
を特徴とする請求項８に記載の画像形成装置。
【発明の詳細な説明】
【技術分野】
【０００１】
本発明は、画像読取り装置及び画像形成装置、特に、複写機やスキャナなどにおいて画像入力装置として用いられるシートスルー方式の画像読取り装置及び該画像読取り装置を備えた画像形成装置に関する。
【背景技術】
【０００２】
従来より、原稿の画像を光学的に読み取る画像読取り装置としては、プラテンガラス上に載置した原稿の画像を読み取るプラテンセット方式と、原稿を１枚ずつ搬送し、搬送途中において原稿の画像を読み取るシートスルー方式が、それぞれ単独であるいは併用されていた。シートスルー方式は、小型化、低コスト、低騒音、画像読取りの高速化、ひいてはプリントの高生産性に利点を有し、モノクロ複写機やカラー複写機においては画像読取り装置の主流となっている。
【０００３】
シートスルー方式の場合、画像読取り位置は定位置、即ち、透明部材（長尺状の読取りガラス）上に固定され、読取りガラスを介して搬送される原稿の画像面に読取り光学系の焦点を合わせる構成のため、読取りガラス上に付着したゴミなどの異物の影響を受けやすく、異物により遮光された部分は読取り画像において筋状の画像ノイズとなる。
【０００４】
読取りガラスに付着する異物は、主に、原稿に貼着した粘着性異物、例えば、テープの粘着物や糊の剥がれ、修正液、ボールペンのインク塊、消しゴム屑などであり、原稿が読取りガラスを摺擦する部分に転写されやすい。また、このような粘着性異物は容易に剥離せず、画像ノイズとなる問題点を有していた。また、搬送される原稿から飛散する紙粉や大気中の埃などの浮遊性異物が読取りガラス上に滞留して画像ノイズとなる問題点も有していた。シートスルー方式では、原稿をローラなどで挟持してガイド板に接触させつつ搬送するために、紙などが主体の原稿にストレスが作用し、原稿面からの紙粉の落下は避けられない。
【０００５】
モノクロ画像読取り装置では、文字の再現性を重視するために文字などの高濃度部分の再現性を高め、かつ、原稿地肌などの低濃度部分の再現性を低くすることにより、文字画像を明確に再現させる画像処理を行うため、紙粉など微少浮遊性異物による画像ノイズはそれほど顕在化することはない。しかし、カラー画像読取り装置では、写真などのグラデーションを再現する必要から、原稿の微妙な階調変化の読取りを重視するため、モノクロ画像の読取りでは顕在化しなかった微少浮遊性異物も読み取ってしまい、読取り画像に微細な筋状ノイズを発生させることになる。
【０００６】
そこで、特許文献１，２には、読取りガラス上面の原稿搬送方向上流側に段差を設けて原稿を読取りガラスに対して非接触状態で搬送する対策が開示されている。この非接触搬送方式では前記粘着性異物が読取りガラスに付着することを未然に防止できる。また、図９に示すように、ガイドシート３０によって読取りガラス１２に近接して搬送される原稿Ｄの後端部はガイドシート３０の段差（端部３０ａ）から落ちて読取りガラス１２上の浮遊性異物を払拭する。しかし、原稿Ｄの後端部は端部３０ａから所定の領域Ｃには接触することはないので、領域Ｃ上の異物Ｅは残留してしまうことになり、この異物Ｅが読取り位置に移動したりすると、読取り画像に微細な筋状ノイズを発生させることになる。
【０００７】
一方、特許文献３には、読取りガラスを清掃するための清掃シートを原稿とは別に搬送するようにした原稿搬送装置が開示されている。清掃シートは起毛部などガラス表面の汚れを除去できる材質が構成され、読取りガラス上を通過させることによって清掃シートが読取りガラス上の異物を捕獲して除去する。
【０００８】
しかしながら、このような機構による清掃は、専用の操作が必要となり、当然に、清掃処理中は画像の読取り処理を実行することはできなくなる。また、異物が読取りガラスに付着するタイミングは予測できないため、読取りガラスが常時清潔な状態を保持するには、頻繁に清掃処理を実行する必要があり、ユーザにとっては面倒な作業を強いられることになる。
【特許文献１】特開平９−３０７６９５号公報
【特許文献２】特開平１１−１４６１４０号公報
【特許文献３】特開２００４−２５０１４１号公報
【発明の開示】
【発明が解決しようとする課題】
【０００９】
そこで、本発明の目的は、シートスルー方式であって、搬送される原稿の画像を読み取るための読取りガラス上に残留した異物を、ユーザが特別な操作を必要とすることなく、かつ、画像読取り処理と並行して除去できる画像読取り装置及び画像形成装置を提供することにある。
【課題を解決するための手段】
【００１０】
前記目的を達成するため、本発明に係る画像読取り装置は、
原稿を１枚ずつ送り出し、読取り位置を通過させる原稿搬送手段と、
前記読取り位置を搬送される原稿の画像を光学的に読み取る読取り手段と、
前記読取り位置を搬送される原稿と前記読取り手段との間に配置された透明部材と、
前記透明部材上であって前記読取り位置よりも原稿搬送方向上流側に配置された所定の厚みを有する段差形成部材と、
前記透明部材の近傍に配置された原稿のガイド部材と、
前記ガイド部材を駆動する駆動手段と、を備え、
前記駆動手段にて前記ガイド部材を動作させることで、前記透明部材に近接して通過する原稿の後端部が該透明部材に接する方向に姿勢を変化させること、
を特徴とする画像読取り装置。
【００１１】
本発明に係る画像読取り装置においては、段差形成部材を設けたことにより、原稿を読取り部材に対して非接触で搬送することができ、原稿から剥がれた粘着性異物が透明部材（読取りガラス）に付着することが極力防止される。また、異物が段差形成部材の段差（端部）付近に残留したとしても、ガイド部材によって原稿の後端部が透明部材に接する方向に姿勢を変化され、該後端部が段差形成部材の端部に落ち込んで異物を確実に除去する。従って、読み取った画像に筋状のノイズが発生することを極力防止することができる。しかも、原稿の後端部による透明部材の清掃は原稿の搬送／読取りと並行して行われるため、ユーザにとっては特別な操作が不要であり、清掃タイミングを考慮する煩雑さが解消される。また、清掃のために独立した処理時間を要することがなく、画像読取り処理を待機させる必要はない。
【００１２】
本発明に係る画像読取り装置において、前記ガイド部材による原稿の後端部に対する姿勢変化は、透明部材に近接して通過する原稿の曲率半径を変化させることにより与えることができる。このガイド部材は、読取り位置の原稿搬送方向下流側で原稿を透明部材から離れる方向にガイドする部材であってもよく、駆動手段によってガイド角度を大きくする方向に動作する。また、このガイド部材のガイド角度は原稿の種類によって変更可能であることが好ましい。
【００１３】
また、前記ガイド部材による原稿の後端部に対する姿勢変化は、原稿の後端部を押圧することにより与えることができる。このガイド部材は、読取り位置の原稿搬送方向上流側で原稿を押圧する。
【００１４】
また、前記ガイド部材を動作させるタイミングは、原稿の先端が読取り位置を通過した後であって、原稿の後端が段差形成部材の端部を通過する直前であることが好ましい。
【００１５】
本発明に係る画像形成装置は、
前記画像読取り装置と、画像形成装置本体と、を備え、
前記読取り手段は読み取った画像を画像形成装置本体の制御部に出力し、
前記画像形成装置本体による画像形成領域外となる原稿の非画像形成領域が前記読取り位置を通過するときに前記ガイド部材が動作すること、
を特徴とする。
【００１６】
前記ガイド部材を動作させて読取り位置を通過する原稿の後端部の姿勢を変化させると、原稿後端部の画像の読取りが乱れ、乱れた状態でプリントされるおそれがある。本発明に係る画像形成装置においては、画像形成領域外となる原稿の非画像形成領域が読取り位置を通過するときにガイド部材が動作するため、ガイド部材の動作に起因するプリント画像の乱れを回避できる。
【００１７】
さらに、本発明に係る画像形成装置においては、前記非画像形成領域に対して強制的に画像形成しない画像欠損モードをユーザが選択可能であり、ユーザが前記画像欠損モードを選択しないで原稿画像全体をプリント画像として形成する場合、又は、原稿画像のサイズに対してプリントするために選択された用紙のサイズが大きい場合には、前記ガイド部材が動作しないように制御してもよい。原稿画像全体をプリントするときには、ガイド部材を動作しないように制御することで、ガイド部材の動作に起因するプリント画像の乱れを確実に回避できる。
【発明を実施するための最良の形態】
【００１８】
以下、本発明に係る画像読取り装置及び画像形成装置の実施例について添付図面を参照して説明する。なお、各実施例において、同一部品及び同一部分には同じ符号を付し、重複した説明は省略する。
【００１９】
（複写機の全体構成、図１参照）
図１に、本発明に係る画像形成装置の一実施例である複写機１の外観を示す。この複写機１は、従来知られている電子写真法によって用紙上に画像を形成するもので、上段部に画像読取り装置１０を備え、画像読取り装置１０で読み取った原稿画像を本体部２の作像ユニット３にて用紙上にプリントする。用紙は給紙カセット４に積載収容されており、１枚ずつ給紙され、周知の画像形成プロセスにてプリントされた後、排紙部５に矢印Ｘ方向に排紙される。
【００２０】
（画像読取り装置の全体構成、図２〜図４参照）
図２に画像読取り装置１０を示す。この画像読取り装置１０は、プラテンガラス１１上に載置された原稿（図示せず）の画像を読み取るプラテンセット方式と、自動原稿搬送装置２０にて搬送される原稿Ｄを読み取るシートスルー方式とを備え、読取り光学系（スキャナ）５０が設置されている。
【００２１】
プラテンセット方式による画像の読取りは、例えば、希ガス蛍光灯などのランプ５３によりプラテンガラス１１上に載置された原稿を照射し、原稿面からの反射光をミラー５４，５５，５６を介して結像レンズ５７に入射し、さらに、撮像部（ＣＣＤカラーラインセンサ）５８に結像させて行う。ランプ５３とミラー５４は第１スライダ５１に搭載され、ミラー５５，５６は第２スライダ５２に搭載され、それぞれ副走査方向Ｙに移動可能である。
【００２２】
一方、自動原稿搬送装置２０は複数のローラ対２１，２２，２３，２４を備えている。原稿Ｄはトレイ２５から１枚ずつピックアップされ、ローラ対２１，２２，２３から読取りガラス１２上に送り込まれ、読取り位置Ａの直下にセットされた読取り光学系５０にて画像が読み取られ、ローラ対２４からトレイ２６上に排出される。
【００２３】
撮像部５８にて読み取られた画像データは、図４に示す画像処理部６０に転送され、さらに、前記複写機１及び本画像読取り装置１０を制御する制御部６１に転送される。制御部６１は本体部２のレーザ走査ユニット６２や画像形成駆動機構６３を制御し、周知の電子写真法により用紙上に画像を形成する。制御部６１はさらに本画像読取り装置１０の光学系５０などの駆動機構６５をも制御する。なお、以上のプラテンセット方式又はシートスルー方式による原稿画像の読取りプロセスや電子写真法による画像形成プロセスは周知であり、その詳細な説明は省略する。
【００２４】
図３にシートスルー方式による原稿の読取り部の拡大断面を示す。読取りガラス１２の周囲には、原稿ガイド板２５ａ，２５ｂ，２６ａ，２６ｂ、読取り位置Ａを通過した原稿をすくい上げるためのガイド２７が配置されている。そして、読取りガラス１２上であって読取り位置Ａの原稿搬送方向Ｂの上流側には、搬送中の原稿が読取りガラス１２に直接触れないようにするため、段差形成部材として機能する原稿ガイドシート３０が取付け板３５に貼着されて読取りガラス１２の表面に接触した状態で配置されている。
【００２５】
また、原稿ガイドシート３０の上流側には、搬送される原稿を検出するためのセンサＳＥ１が配置されている。このセンサＳＥ１は原稿の先端が通過するとオンし、後端が通過するとＯＦＦする。
【００２６】
以上の構成からなる画像読取り装置１０において、搬送ローラ対２３，２４によって原稿ガイドシート３０の上面を滑りながら右方向へ搬送される原稿は、ガイドシート３０の厚みによって読取り位置Ａを所定の高さを有して読取りガラス１２とは非接触状態で搬送され、原稿画像が読取りガラス１２を通して読取り光学系５０により読み取られる。
【００２７】
前記原稿ガイドシート３０は、例えば、厚さ（段差）が０．６５ｍｍで、超高分子量ポリエチレンなどの摺動抵抗の低い（好ましくは摩擦係数μ：０．３以下）材料から形成されている。
【００２８】
原稿ガイド板２５ｂは、搬送される原稿Ｄの姿勢を規制するものであり、安定した画像の読取りを行うために、例えば、読取りガラス１２との隙間は１．２ｍｍとされている。読取りガラス１２との隙間が１．４ｍｍ以上に大きくなると、搬送される原稿の姿勢が安定せずに通紙性が悪化し、かつ、読取り画像の濃度がばらつく。
【００２９】
ここで、読取り位置Ａを通過する原稿の挙動について簡単に説明する。原稿Ｄは、ガイドシート３０の表面に案内されて読取りガラス１２上に送り込まれ、ガイドシート３０の厚さ分だけ読取りガラス１２と隙間を有する状態で搬送される。原稿の後端部はガイドシート３０の端部３０ａを離れると、支えを失って読取りガラス１２上に落ち込み、読取りガラス１２上に接触する。
【００３０】
ところで、画像読取り装置１０においては、原稿を読取りガラス１２に対して非接触状態で搬送することから、原稿からの粘着性異物が読取りガラス１２に転写されることは極力防止されるが、多少は読取りガラス１２上に落下する。一方、原稿からは紙粉などの異物が読取りガラス１２の表面に落下し、その多くは搬送される原稿に巻き込まれて読取りガラス１２上から排出される。しかし、紙粉や空気中の埃などの異物の何割かは、図９を参照して説明したように、ガイドシート３０の端部３０ａに隣接した領域Ｃに残存することになる。
【００３１】
そこで、本発明では、以下の第１実施例及び第２実施例に示すように、ガイド部材３１，３９を設け、読取りガラス１２に近接して通過する原稿の後端部が読取りガラス１２に接する方向に姿勢を変化させ、原稿の後端部を強制的に前記領域Ｃに接触させて領域Ｃに残存した異物を除去するようにした。
【００３２】
（第１実施例、図５〜図８参照）
第１実施例では、図５（Ａ）に示すように、前記ガイド２７に代えて、ガイド部材３１を支軸３１ａを支点として上下方向に回動可能に設け、原稿搬送時にはガイド部材３１を図５（Ａ）に示す所定の角度に設定して、原稿Ｄを読取りガラス１２に対して非接触状態で搬送する。
【００３３】
原稿Ｄの先端が読取り位置Ａを通過した後であって、原稿Ｄの後端がガイドシート３０の端部３０ａを通過する前に、ガイド部材３１を上方に回動させ、原稿Ｄの曲率半径を小さくさせる（図５（Ｂ）参照）。これにて、原稿Ｄの後端部は読取りガラス１２に接する方向に姿勢を変化し、原稿Ｄの後端部が端部３０ａを離れると直ちに読み取りガラス１２上に落ち込み（図５（Ｃ）参照）、図９に示す領域Ｃに残留している異物Ｅを読取りガラス１２から払拭する。
【００３４】
これにて、読取りガラス１２の表面が確実に清掃されることになり、読取り画像に筋状のノイズが発生することが未然に防止される。特に、原稿が腰の弱い薄紙であったり、高湿度環境下で原稿の腰が弱くなっていても、強制的に原稿の姿勢を変化させることから、清掃処理が確実に行われることになる。しかも、この清掃処理は制御部６１によって原稿の搬送／読取りと並行して自動的に行われ、ユーザにとっては特別な操作が不要である。また、清掃のために独立した処理時間を要することがなく、画像読取り処理を待機させる必要はない。
【００３５】
ところで、前記ガイド部材３１の清掃処理時におけるガイド角度は原稿の種類によって変更するように制御することが好ましい。原稿が厚紙である場合、清掃処理時の原稿の曲率半径を小さくすると、原稿搬送の負荷を必要以上に増大させ、騒音や原稿にダメージが発生することになる。そこで、原稿が厚紙である場合には、清掃処理時におけるガイド部材３１のガイド角度を小さく設定することが好ましい。
【００３６】
ここで、ガイド部材３１の駆動機構について説明する。図６に示すように、ガイド部材３１の支軸３１ａに固定したギヤ３２にはステッピングモータＭによって駆動されるギヤ３３が噛合している。さらに、ギヤ３３と同軸上にパルス円板３４が取り付けられ、このパルス円板３４に形成したスリット３４ａを検出するパルスカウントセンサＳＥ２が設置されている。センサＳＥ２と、読取りガラス１２へ搬送される原稿を検出するセンサＳＥ１の検出信号は制御部６１へ入力される。また、ステッピングモータＭは制御部６１にて回転制御される。
【００３７】
以上の構成において、制御部（ＣＰＵ）６１によるガイド部材３１の駆動制御について、図７を参照して説明する。ガイド部材３１は図５（Ａ）に示すホームポジションにセットされており、原稿の先端がセンサＳＥ１にて検出され（ステップＳ１でＹＥＳ）、その後、原稿の後端がセンサＳＥ１にて検出されると（ステップＳ２でＹＥＳ）、ステッピングモータＭを正転させる（ステップＳ３）。なお、所定時間以内に原稿の後端が検出されないと（ステップＳ２でＮＯ）、紙詰まり検出処理を実行する（ステップＳ１０）。
【００３８】
ステッピングモータＭの正転でガイド部材３１がホームポジションから上方へ回動し、センサＳＥ２がパルスＮをカウントすると（ステップＳ４でＹＥＳ）、ステッピングモータＭをオフする（ステップＳ５）。パルスＮとは、ステッピングモータＭがガイド部材３１を図５（Ｂ）に示す所定のガイド角度まで回動させるのに必要なパルス数である。これにて、原稿はその後端部が読取りガラス１２に接する方向に姿勢を変化し、後端部が読み取りガラス１２上に落ち込み異物を清掃する。
【００３９】
次の原稿が搬送されてその先端がセンサＳＥ１にて検出されると（ステップＳ６でＹＥＳ）、ステッピングモータＭを逆転させ（ステップＳ７）、センサＳＥ２がパルスＮをカウントすると（ステップＳ８でＹＥＳ）、ステッピングモータＭをオフする（ステップＳ９）。これにて、ガイド部材３１がホームポジションに復帰し、次の原稿の搬送に備える。
【００４０】
なお、前記パルスＮの値を適宜変更することにより、ガイド部材３１による原稿Ｄのガイド角度を調整することができる。また、ガイド部材３１は、必ずしも１枚の原稿が搬送されるごとに動作させる必要はなく、任意の通紙枚数ごとに動作させてもよい。
【００４１】
（第２実施例、図８参照）
第２実施例は、図８に示すように、読取りガラス１２の直上にガイド部材３９を支軸３９ａを支点として上下方向に回動可能に設けたものである。ガイド部材３９は、原稿Ｄの搬送中は図８に点線で示す位置に保持されて原稿Ｄに接触することがなく、原稿Ｄの後端部がガイドシート３０の端部３０ａを通過する直前に下方に回動し、原稿Ｄの後端部を押圧する。これにて、原稿Ｄの後端部は読取りガラス１２に接する方向に姿勢を変化し、原稿Ｄの後端部が端部３０ａを離れると直ちに読み取りガラス１２上に落ち込み、図９に示す領域Ｃに残留している異物Ｅを読取りガラス１２から払拭する。
【００４２】
本第２実施例におけるガイド部材３９の駆動機構やその制御手順は前記第１実施例と基本的には同じである。また、その作用効果も第１実施例と基本的に同様である。
【００４３】
（複写機との連係）
次に、画像読取り装置１０と複写機１との連係について説明する。前記撮像部５８によって読み取られた原稿画像は、画像処理部６０に送られて必要な処理を施される。このとき、原稿の先端部ないし後端部の画像は乱れを生じている可能性が高いので、通常の画像処理としてプリントに際してはカットされる。即ち、作像ユニット３によって画像形成領域外となる原稿の非画像形成領域が存在し、この非画像形成領域が読取り位置Ａを通過するときに前記ガイド部材３１，３９を動作させることが好ましい。
【００４４】
ガイド部材３１，３９が動作すると、原稿が下方に変位するために光学系５０のピント位置からずれて画像の読取りに乱れを生じる。この乱れがプリントされることを回避するために、非画像形成領域が読取り位置Ａを通過するときにガイド部材３１，３９を動作させることが好ましいのである。
【００４５】
さらに、複写機１においては、前記非画像形成領域に対して強制的に画像形成しない画像欠損モードをユーザが選択可能とされていてもよい。ユーザがこの画像欠損モードを選択しないで原稿画像全体をプリントする場合、前記ガイド部材３１，３９が動作しないように制御してもよい。原稿画像全体をプリントするときには、ガイド部材３１，３９を動作しないように制御することで、ガイド部材３１，３９の動作に起因するプリント画像の乱れを確実に回避できる。また、原稿画像のサイズに対してプリントするために選択された用紙のサイズが大きい場合にも、同様の理由で、前記ガイド部材３１，３９が動作しないように制御してもよい。
【００４６】
（他の実施例）
なお、本発明に係る画像読取り装置及び画像形成装置は、前記実施例に限定されるものではなく、その要旨の範囲内で種々に変更できる。特に、原稿の搬送機構や検出手段は任意であり、読取り光学系の構成も任意である。
【図面の簡単な説明】
【００４７】
【図１】複写機の外観を示す斜視図である。
【図２】画像読取り装置を示す概略構成図である。
【図３】前記画像読取り装置の要部拡大断面図である。
【図４】複写機及び画像読取り装置の制御部を示すブロック図である。
【図５】画像読取り装置の第１実施例の動作説明図である。
【図６】前記第１実施例の駆動機構を示す概略構成図である。
【図７】前記第１実施例の制御手順を示すフローチャート図である。
【図８】画像読取り装置の第２実施例の動作説明図である。
【図９】読取りガラス上での原稿後端の挙動を示す説明図である。
【符号の説明】
【００４８】
１…複写機
１０…画像読取り装置
１２…読取りガラス（透明部材）
２０…自動原稿搬送装置
３０…原稿ガイドシート（段差形成部材）
３１，３９…ガイド部材
５０…読取り光学系
６１…制御部
Ａ…読取り位置
Ｄ…原稿
【図１】
2008199301.tif 000003
【図２】
2008199301.tif 000004
【図３】
2008199301.tif 000005
【図４】
2008199301.tif 000006
【図５】
2008199301.tif 000007
【図６】
2008199301.tif 000008
【図７】
2008199301.tif 000009
【図８】
2008199301.tif 000010
【図９】
2008199301.tif 000011